(57)【要約】【課題】本発明は、極めて商品価値の高い画期的な棚用の載置物落下防止装置を提供することを目的とする。【解決手段】左右に側壁１Ｂ，１Ｃを有する棚体１Ａに載置した載置物Ｂが落下するのを防止する棚用の載置物落下防止装置であって、前記左右側壁１Ｂ，１Ｃ夫々に設けられ凹部２を有する左右の支持体４と、この各支持体４の凹部２夫々に左右端部５ａ，５ｂを挿入させて前記左右側壁１Ｂ，１Ｃ間に架設状態となる棒状体５とから成るものである。【選択図】図１
2014079282.tif 000002
【特許請求の範囲】
【請求項１】
左右に側壁を有する棚体に載置した載置物が落下するのを防止する棚用の載置物落下防止装置であって、前記左右側壁夫々に設けられ凹部を有する左右の支持体と、この各支持体の凹部夫々に左右端部を挿入させて前記左右側壁間に架設状態となる棒状体とから成り、前記各支持体は前記凹部を内側に向けて対向状態に左右側壁夫々に止着する構成であり、前記棒状体は付勢部の付勢力に抗して全体長を可変自在に設けられた伸縮構造体であり、前記棒状体を前記付勢部の付勢力に抗して縮み動させた後に前記付勢部の復帰力により伸び動させることで、前記各支持体の凹部夫々に前記左右端部を挿入させた際、前記棒状体は前記各支持体で支持されて前記左右側壁間に架設状態に取り付けられるように構成したことを特徴とする棚用の載置物落下防止装置。
【請求項２】
前記各支持体は、前記左右側壁に着設する着設部を底部に設けた肉厚板状の基体に前記凹部を設けた構成であることを特徴とする請求項１記載の棚用の載置物落下防止装置。
【請求項３】
前記棒状体は、複数の棒状部材を連結して構成され、隣接する棒状部材のうち一方の棒状部材の端部に他方の棒状部材の端部をスライド自在に被嵌連結して、全体長が伸縮自在となるように前記棒状体は構成されていることを特徴とする請求項１，２のいずれか１項に記載の棚用の載置物落下防止装置。
【請求項４】
前記各棒状部材は筒状であることを特徴とする請求項３記載の棚用の載置物落下防止装置。
【請求項５】
前記各棒状部材は紙製であることを特徴とする請求項３，４のいずれか１項に記載の棚用の載置物落下防止装置。
【請求項６】
前記各支持体は紙製であることを特徴とする請求項１〜５のいずれか１項に記載の棚用の載置物落下防止装置。
【請求項７】
前記各支持体の凹部夫々に前記棒状体の左右端部を挿入させた際、前記左右側壁間に前記付勢部による突っ張り付勢を伴った架設状態となるように前記棒状体の長さは設定されていることを特徴とする請求項１〜６のいずれか１項に記載の棚用の載置物落下防止装置。
【請求項８】
前記各支持体の凹部と前記棒状体の左右端部とは略同径に設定されていることを特徴とする請求項１〜７のいずれか１項に記載の棚用の載置物落下防止装置。
【発明の詳細な説明】
【技術分野】
【０００１】
本発明は、例えば本や置物などの棚体に載置した載置物が落下するのを防止する棚用の落下防止装置に関するものである。
【背景技術】
【０００２】
従来から、例えば地震で棚が揺れた際など、棚体（棚板）に載置した載置物が落下するのを防止するものとして、例えば実用新案登録第３０２９１１３号に提案されるような棚用の載置物落下防止装置（以下、従来例）が提案されている。
【０００３】
この従来例は、棚体の左右に位置する側壁間に架設状態に設けられる棒状体で構成されており、この棒状体の両端部を左右側壁に設けられる棚板高さ調節用穴（ダボ穴）夫々に挿入することで、棒状体は左右側壁間に架設状態となり、棚体に載置した載置物の正面位置に横設状態となる。
【０００４】
従って、従来例は、万一棚が揺れて載置物が棚の正面方向に移動したとしてもこの移動を阻止して当該載置物の落下を防止することができる。
【先行技術文献】
【特許文献】
【０００５】
【特許文献１】実用新案登録第３０２９１１３号公報
【発明の概要】
【発明が解決しようとする課題】
【０００６】
しかしながら、従来例は、前述した構造上、使用できる棚が左右側壁にダボ穴がある棚に限定されてしまい、しかも、ダボ穴がある棚であっても棚体の数よりもダボ穴が余分になければ使用できず、仮にダボ穴に余分があったとしても丁度良い高さのダボ穴が無いと十分にその機能を発揮することができない。
【０００７】
また、従来例は、棒状体の両端部を左右側壁のダボ穴に挿入する場合、棒状体の弾性を利用して撓ませた状態から真っ直ぐになろうとする際に挿入させることになるが、その構造上、例えば地震で揺れて勢いよく移動する載置物の落下を防止するには強度が不十分であるという問題点もある。
【０００８】
本発明は、上述した問題点を解消する、極めて商品価値の高い画期的な棚用の載置物落下防止装置を提供する。
【課題を解決するための手段】
【０００９】
添付図面を参照して本発明の要旨を説明する。
【００１０】
左右に側壁１Ｂ，１Ｃを有する棚体１Ａに載置した載置物Ｂが落下するのを防止する棚用の載置物落下防止装置であって、前記左右側壁１Ｂ，１Ｃ夫々に設けられ凹部２を有する左右の支持体４と、この各支持体４の凹部２夫々に左右端部５ａ，５ｂを挿入させて前記左右側壁１Ｂ，１Ｃ間に架設状態となる棒状体５とから成り、前記各支持体４は前記凹部２を内側に向けて対向状態に左右側壁１Ｂ，１Ｃ夫々に止着する構成であり、前記棒状体５は付勢部６の付勢力に抗して全体長を可変自在に設けられた伸縮構造体であり、前記棒状体５を前記付勢部６の付勢力に抗して縮み動させた後に前記付勢部６の復帰力により伸び動させることで、前記各支持体４の凹部２夫々に前記左右端部５ａ，５ｂを挿入させた際、前記棒状体５は前記各支持体４で支持されて前記左右側壁１Ｂ，１Ｃ間に架設状態に取り付けられるように構成したことを特徴とする棚用の載置物落下防止装置に係るものである。
【００１１】
また、前記各支持体４は、前記左右側壁１Ｂ，１Ｃに着設する着設部４ａを底部に設けた肉厚板状の基体に前記凹部２を設けた構成であることを特徴とする請求項１記載の棚用の載置物落下防止装置に係るものである。
【００１２】
また、前記棒状体５は、複数の棒状部材５Ａ，５Ｂを連結して構成され、隣接する棒状部材５Ａ，５Ｂのうち一方の棒状部材５Ａの端部に他方の棒状部材５Ｂの端部をスライド自在に被嵌連結して、全体長が伸縮自在となるように前記棒状体５は構成されていることを特徴とする請求項１，２のいずれか１項に記載の棚用の載置物落下防止装置に係るものである。
【００１３】
また、前記各棒状部材５Ａ，５Ｂは筒状であることを特徴とする請求項３記載の棚用の載置物落下防止装置に係るものである。
【００１４】
また、前記各棒状部材５Ａ，５Ｂは紙製であることを特徴とする請求項３，４のいずれか１項に記載の棚用の載置物落下防止装置に係るものである。
【００１５】
また、前記各支持体６は紙製であることを特徴とする請求項１〜５のいずれか１項に記載の棚用の載置物落下防止装置に係るものである。
【００１６】
また、前記各支持体４の凹部２夫々に前記棒状体５の左右端部５ａ，５ｂを挿入させた際、前記左右側壁１Ｂ，１Ｃ間に前記付勢部６による突っ張り付勢を伴った架設状態となるように前記棒状体５の長さは設定されていることを特徴とする請求項１〜６のいずれか１項に記載の棚用の載置物落下防止装置に係るものである。
【００１７】
また、前記各支持体４の凹部２と前記棒状体５の左右端部５ａ，５ｂとは略同径に設定されていることを特徴とする請求項１〜７のいずれか１項に記載の棚用の載置物落下防止装置に係るものである。
【発明の効果】
【００１８】
本発明は上述のように構成したから、前述した従来例と異なり、例えば既存の棚であっても任意の位置に簡易且つ確実に取り付けることができて、載置物の落下防止機能を良好に発揮することができ、しかも、秀れた強度を具備するから、この点においても載置物の落下防止機能を良好に発揮することになるなど、極めて商品価値の高い画期的な棚用の載置物落下防止装置となる。
【図面の簡単な説明】
【００１９】
【図１】本実施例の使用状態説明図である。
【図２】本実施例の要部を示す斜視図である。
【図３】本実施例の要部を示す分解斜視図である。
【図４】本実施例の要部の説明図である。
【図５】本実施例の要部の動作説明図である。
【発明を実施するための形態】
【００２０】
好適と考える本発明の実施形態（発明をどのように実施するか）を、図面に基づいて本発明の作用を示して簡単に説明する。
【００２１】
棚体１Ａの左右に位置する側壁１Ｂ，１Ｃ夫々に支持体４を設ける。
【００２２】
具体的には、各支持体４を該各支持体４の凹部２を内側に向けた対向状態にして左右側壁１Ｂ，１Ｃ夫々に止着する。この各支持体４の止着位置は、後に左右側壁１Ｂ，１Ｃ間に架設状態とした棒状体５が載置物Ｂの落下を防止するに丁度良い状態となる任意の位置とする。
【００２３】
続いて、棒状体５を付勢部６の付勢力に抗して縮み動させた後に付勢部６の復帰力により伸び動させることで、各支持体４の凹部２夫々に左右端部５ａ，５ｂを挿入させると、棒状体５は各支持体４で支持されて左右側壁１Ｂ，１Ｃ間に架設状態に取り付けられる。
【００２４】
この際、棒状体５は左右端部５ａ，５ｂ夫々が各支持体４の凹部２に挿入されて脱落防止状態で支持される。
【００２５】
例えば、万一、地震により棚が揺れて棚体１Ａに載置した載置物Ｂが正面方向に移動したとしても、この載置物Ｂの正面位置に横設状態となる棒状体５によりその正面方向への移動が阻止され、棚体１Ａからの落下が防止される。
【００２６】
従って、本発明に係る棚用の載置物落下装置の取り付けが、左右側壁１Ｂ，１Ｃの任意の位置に支持体４を止着して、この支持体４に棒状体５を支持させるだけであるから、例えば既存の棚であっても任意の位置に簡易且つ確実に取り付けることができて、載置物Ｂの落下防止機能を良好に発揮することができる。
【００２７】
また、本発明は、棒状体５が長さ方向に伸縮する構造であって、棒状であっても撓み変形しにくい構造であり秀れた強度を具備するから、載置物Ｂの移動を阻止して確実に落下防止機能を発揮することになる。
【実施例】
【００２８】
本発明の具体的な実施例について図面に基づいて説明する。
【００２９】
本実施例は、左右に側壁１Ｂ，１Ｃを有する棚体１Ａに載置した載置物Ｂが落下するのを防止する棚１用の載置物落下防止装置であって、左右側壁１Ｂ，１Ｃ夫々に設けられ凹部２を有する左右の支持体４と、この各支持体４の凹部２夫々に左右端部５ａ，５ｂを挿入させて左右側壁１Ｂ，１Ｃ間に架設状態となる棒状体５とから成るものである。尚、本実施例では、図１に図示したように棚１として載置物Ｂを載置する板状の棚体１Ａと、板状の左右側壁１Ｂ，１Ｃと、天板１Ｄと、底板１Ｅと、背板（図示省略）とから成る本棚１を採用したが、この構成に限らず、例えば棚体１Ａと左右側壁１Ｂ，１Ｃのみから成る棚１でも良く、また、左右側壁１Ｂ，１Ｃは棚体１Ａと一体でなくても分離した構造でも良いなど、棚体１Ａの脇に左右側壁１Ｂ，１Ｃとして機能するものがあれば良い。
【００３０】
以下、本実施例に係る構成各部について詳細な説明をする。
【００３１】
棒状体５は、図１〜３に図示したように適宜な紙製の部材で形成したものであり、円筒状にして径の異なる複数（一対）の棒状部材５Ａ，５Ｂ同士を嵌合連結（径小の棒状部材５Ａの端部に対して径大の棒状部材５Ｂの端部をスライド自在に被嵌連結）して構成されている。
【００３２】
即ち、棒状体５は、その全体長が可変自在となる伸縮構造体であり、また、各支持体４の凹部２夫々に棒状体５の左右端部５ａ，５ｂを挿入させた際、左右側壁１Ｂ，１Ｃ間に後述する付勢部６による突っ張り付勢を伴った架設状態となるように棒状体の長さは設定されている。
【００３３】
尚、棒状体５を構成する棒状部材５Ａ，５Ｂは合成樹脂製でも良く、また、本実施例では、棒状部材５Ａ，５Ｂは内部が中空の筒状であり軽量であるが、無垢のものでも良く、この場合、他の棒状部材と連結する端部に筒状部を設けた構成としても良いし、また、棒状体５は３本以上の棒状部材５Ａ，５Ｂ，５Ｃ・・・で構成しても良い。
【００３４】
また、径小の棒状部材５Ｂの一端部には紙製の筒部材５ｂ’が被嵌されており、この筒部材５ｂ’は径大の棒状部材５Ａと同径であり、よって、棒状体５の左右端部５ａ，５ｂは互いに同径に設定されている。
【００３５】
従って、この棒状体５の左右端部５ａ，５ｂを挿入する凹部２として、径の異なる凹部２を有する複数種類の支持体４を用意する必要はなく、支持体４は一種類のものを用意しておけばよい。
【００３６】
また、棒状体５は付勢部６の付勢に抗して全体長を可変自在に設けられている。
【００３７】
この付勢部６は、図２，３，５に図示したように径大の棒状部材５Ａの内部に一本の付勢部材６ａ（金属製のコイルスプリング）を配して構成され、この付勢部材６ａの一端部を径大の棒状部材５Ｂに当接し、他端部を径小の棒状部材５Ａに当接させている。
【００３８】
従って、棒状体５は、付勢部６の付勢力に抗して縮み動させた際、復帰力を発揮するように構成されている。
【００３９】
尚、付勢部材６ａとしては合成樹脂製（ゴム製）のものなど本実施例の特性を発揮する構成であれば適宜採用し得るものである。
【００４０】
符号７は付勢部材６ａの支持部材であり、８はキャップである。
【００４１】
各支持体４は、図１，２，４，５に図示したように適宜な紙製の部材で形成したものであり、正面視方形状の紙製板材４’を複数積層して肉厚板状の基体を設けて構成されている。
【００４２】
本実施例では、各支持体４は小片状に形成したが、長尺状に形成しても良く、この長尺状の場合、一つの支持体４に後述する凹部２を複数並設する構成としても良い。
【００４３】
また、各支持体４には、その表面部に開口する平面視円形状の凹部２が設けられている。
【００４４】
この凹部２は、全周囲が壁面で覆われた凹部であり、棒状体５の左右端部５ａ，５ｂを挿入係止し得る略同径に設定されている。
【００４５】
尚、本実施例では凹部２を底のある凹部で構成したが、各支持体４の底部（裏面部）に開口する貫通孔で構成しても良い。
【００４６】
また、各支持体４は、平坦底部に左右側壁１Ｂ，１Ｃに着設する着設部４ａが設けられている。
【００４７】
この着設部４ａは各支持体４の底部（裏面部）に両面テープを貼って構成されており、左右側壁１Ｂ，１Ｃの内面に止着し得るように構成されている。
【００４８】
尚、この着設部４ａは、金属製の棚１を想定した磁石（磁性体）で構成しても良く、その他、別途用意する接着剤や粘着剤などを介して止着する部位という意味も含むものである。
【００４９】
符号９は紙製板材同士を固定するタッカー針（ステープル）である。
【００５０】
本実施例は上述のように構成したから、各支持体４を該各支持体４の凹部２を内側に向けた対向状態にして左右側壁１Ｂ，１Ｃ夫々に止着する。続いて、棒状体５を付勢部６の付勢力に抗して縮み動させた後に付勢部６の復帰力により伸び動させることで、各支持体４の凹部２夫々に左右端部５ａ，５ｂを挿入させると、棒状体５は各支持体４で支持されて左右側壁１Ｂ，１Ｃ間に架設状態に取り付けられる（図５参照）。
【００５１】
例えば、万一、地震により棚が揺れて棚体１Ａに載置した載置物Ｂが正面方向に移動したとしても、この載置物Ｂの正面位置にして棚体１Ａの巾方向に横設状態となる棒状体５によりその正面方向への移動が阻止され、棚体１Ａからの落下が防止される。
【００５２】
よって、本実施例によれば、本実施例に係る棚用の載置物落下装置の取り付けが、左右側壁１Ｂ，１Ｃの任意の位置に支持体４を止着して、この支持体４に棒状体５を支持させるだけであるから、例えば既存の棚であっても任意の位置に簡易且つ確実に取り付けることができて、載置物Ｂの落下防止機能を良好に発揮することができる。
【００５３】
また、本実施例は、棒状体５が長さ方向に伸縮する構造であって、棒状であっても撓み変形しにくい構造であり秀れた強度を具備するから、載置物Ｂの移動を阻止して確実に落下防止機能を発揮することになる。
【００５４】
また、本実施例は、各支持体４は、左右側壁１Ｂ，１Ｃに着設する着設部４ａを底部に設けた肉厚板状の基体に凹部２を設けた構成であるから、棒状体５は左右端部５ａ，５ｂ夫々が各支持体４の凹部２に挿入されて脱落防止状態で支持されることになり、良好な取付状態が得られることになる。
【００５５】
また、本実施例は、棒状体５は、複数の棒状部材５Ａ，５Ｂを連結して構成され、隣接する棒状部材５Ａ，５Ｂのうち一方の棒状部材５Ａの端部に他方の棒状部材５Ｂの端部をスライド自在に被嵌連結して、全体長が伸縮自在となるように棒状体５は構成されているから、簡易な構造で確実に前述した作用効果を発揮する棒状体５が得られることになる。
【００５６】
また、本実施例は、各棒状部材５Ａ，５Ｂは筒状であるから、棒状体５が軽量である。
【００５７】
また、本実施例は、各棒状部材５Ａ，５Ｂは紙製であるから、この点においても棒状体５は軽量であり、また、環境にも優しい構造であり、コスト安である。
【００５８】
また、本実施例は、各支持体６は紙製であるから、軽量で環境に優しい構造であり、コスト安である。
【００５９】
また、本実施例は、各支持体４の凹部２夫々に棒状体５の左右端部５ａ，５ｂを挿入させた際、左右側壁１Ｂ，１Ｃ間に付勢部６による突っ張り付勢を伴った架設状態となるように棒状体５の長さは設定されているから、より一層支持体４から脱落しにくい構造となる。
【００６０】
また、本実施例は、各支持体４の凹部２と棒状体５の左右端部５ａ，５ｂとは略同径に設定されているから、凹部２内で棒状体５の左右端部５ａ，５ｂが挙動することなく、棒状体５の良好な支持状態が得られることになる。
【００６１】
尚、本発明は、本実施例に限られるものではなく、各構成要件の具体的構成は適宜設計し得るものである。
【符号の説明】
【００６２】
Ｂ  載置物
１Ａ  棚体
１Ｂ  左側壁
１Ｃ  右側壁
２  凹部
４  支持体
４ａ  着設部
５  棒状体
５ａ  左端部
５ｂ  右端部
５Ａ  棒状部材
５Ｂ  棒状部材
６  付勢部
【図１】
2014079282.tif 000003
【図２】
2014079282.tif 000004
【図３】
2014079282.tif 000005
【図４】
2014079282.tif 000006
【図５】
2014079282.tif 000007